(57)【要約】【課題】  オーディオ効果を付加するためのパラメータの設定を容易に行なうことができる「オーディオ装置」を提供する。【解決手段】  オーディオ装置１０は、オーディオデータの再生および加工等を行うオーディオプロセッサ１４と、パラメータ等を入力する入力部１６と、入力されたパラメータに基づきオーディオ効果が付加されたオーディオデータを複数パターン記憶する再生音・設定記憶部１８と、再生音・設定記憶部１８に記憶されたオーディオデータを連続的に読出し、これらの再生音を音声出力するためのアンプ２０およびスピーカ２２を含む。パラメータは、例えば、ネットワークディバイダ（ＤＩＶ）、タイムコレクション（ＴＣＲ）およびイコライザ（ＥＱ）である。【選択図】  図１
2006173765.tif 000002
【特許請求の範囲】
【請求項１】
入力されたパラメータに基づきオーディオデータを加工し、加工したオーディオデータの再生を行なう機能を備えた再生手段と、
再生手段によって加工されたオーディオデータを複数パターン記憶する記憶手段と、
記憶手段に記憶された複数パターンの中から所定のオーディオデータを読み出し、読み出されたオーディオデータを音声出力させる制御手段と、
を有するオーディオ装置。
【請求項２】
前記制御手段は、複数パターンのオーディオデータを順次読出し、読み出されたオーディオデータを連続的に音声出力させる、請求項１に記載のオーディオ装置。
【請求項３】
オーディオ装置はさらに、入力手段と、入力手段からの入力に応答してパラメータの設定を行なうパラメータ設定手段とを有し、パラメータ設定手段は、記憶手段に記憶された複数パターンのオーディオデータの中から選択されたオーディオデータに対応するパラメータを設定する、請求項１に記載のオーディオ装置。
【請求項４】
オーディオ装置はさらに、音源から同一のオーディオデータを繰り返し読取る読取手段を含み、再生手段は、繰り返し読取られたオーディオデータを異なるパラメータにより加工する、請求項１に記載のオーディオ装置。
【請求項５】
記憶手段は、ジャンル毎または曲毎のオーディオデータを記憶する、請求項１に記載のオーディオ装置。
【請求項６】
オーディオ装置に接続可能であり、かつオーディオデータを記憶可能な記憶媒体であって、
前記記憶媒体は、パラメータに基づき加工されたオーディオデータを複数パターン記憶する、記憶媒体。
【請求項７】
前記記憶媒体に記憶された複数パターンのオーディオデータは、オーディオ装置によって再生音として出力可能である、請求項６に記載の記憶媒体。
【請求項８】
オーディオ装置におけるオーディオデータを加工するためのパラメータの設定方法であって、
入力されたパラメータに基づきオーディオデータを加工するステップと、
加工されたオーディオデータを複数パターン記憶するステップと、
記憶された複数パターンのオーディオデータを音声出力させるステップと、
音声出力されたオーディオデータの中から選択されたオーディオデータに対応するパラメータを設定するステップと、
を有するパラメータ設定方法。
【請求項９】
パラメータの設定方法はさらに、音源から同一のオーディオデータを繰り返し供給するステップを含み、前記加工するステップは、繰り返し供給された同一のオーディオデータを異なるパラメータにより加工する、請求項８に記載のパラメータの設定方法。
【発明の詳細な説明】
【技術分野】
【０００１】
本発明は、オーディオ装置に関し、特にオーディオデータにオーディオ効果を付加するためのパラメータの設定に関する。
【背景技術】
【０００２】
カーオーディオシステムやホームオーディオシステムにおいて、ユーザにとって好ましい音響効果を得るために、オーディオ機器の最適なチューニングが図られる。オーディオ機器のチューニングは、一般に、ネットワークディバイダ（ＤＩＶ）、タイムコレクション（ＴＣＲ）およびイコライザ（ＥＱ）のパラメータの最適値を決定することにより行われる。これらのパラメータは、オーディオデータにオーディオ効果を付加し、音響空間におけるスピーカの配置やスピーカの特性等に適した効果音を与えるものである。
【０００３】
例えば特許文献１は、外部音源機器から送出されるオーディオ信号に施す複数のイコライザ特性に係るデータを格納するイコライザ部と、イコライザ特性を画面表示する表示部と、オーディオ信号に施すイコライザ特性を選択する操作部と、あらかじめ設定済みのイコライザ特性を選択候補のイコライザ特性として表示部に表示させ、当該選択されたイコライザ特性に係るデータをイコライザ部から読出して、オーディオ信号に当該イコライザ特性を施す制御部とを備えたオーディオ・ビデオ機器装置を開示している。
【０００４】
【特許文献１】特開平８−９２８５号
【発明の開示】
【発明が解決しようとする課題】
【０００５】
図６は、オーディオ装置の概略構成を示すブロック図である。同図に示すように、ＣＤ、ＤＶＤ等の音源１００から読み出されたオーディオデータは、オーディオプロセッサ１１０において再生され、再生されたオーディオデータは、アンプ１３０により増幅された後、スピーカ１４０から出力される。また、オーディオ機器のチューニングを行なう場合、ユーザは入力部１２０を介してパラメータを入力する。オーディオプロセッサ１１０は、パラメータが入力されると、そのパラメータに基づきオーディオデータを加工し、加工したオーディオデータの再生音がスピーカ１４０から出力される。パラメータは、手動により何度でも入力することが可能であり、ユーザは、スピーカ１４０からの再生音を試聴し、最終的に満足したパラメータを選択し、そのパラメータをメモリ１５０に設定するようになっている。
【０００６】
上記したオーディオ装置へのパラメータの設定は、図７に示すフローチャートに従い行われる。先ず、ユーザは、チューニングをしようとするオーディオ装置に対し、入力部１２０からＤＩＶ、ＴＣＲ、およびＥＱ等のパラメータを入力する（ステップＳ１０１）。オーディオプロセッサ１１０は、入力されたパラメータに従い音源から読み出されたオーディオデータを加工する（ステップＳ１０２）。
【０００７】
加工されたオーディオデータは、アンプ１３０を介してスピーカ１４０から出力され、ユーザは、このオーディオ効果が付加された再生音を試聴する（ステップＳ１０３）。ユーザは、再生音の試聴により、当該チューニングに満足するか否かを判定する（ステップＳ１０４）。チューニングに満足した場合、ユーザは、入力部１２０から指示を与え、これに応答してパラメータがオーディオ装置の最適値としてメモリ１５０に記憶される（ステップＳ１０５）。一方、チューニングに満足しない場合には、ユーザは、異なるパラメータを入力し、そのパラメータによるオーディオ効果が付加された再生音を試聴する（ステップＳ１０１〜Ｓ１０３）。この作業は、チューニングに満足するまで繰り返えし行なわれる。
【０００８】
しかしながら、上記した操作手順によりパラメータの最適値を判別することは、手続が非常に煩雑である。例えば、パラメータを入力する度に、音源からオーディオデータを再生させるような指示を与えなければならない。特に、同一曲での効果音を比較する場合には、選曲を必要とすることもあり、手続がより煩雑になるおそれがある。また、複数パターンのパラメータを設定しても、それらの効果音を断続的に試聴することになるため、音の評価に集中することが困難である。さらに、ユーザが、リモート切り替えを用いず直接オーディオ装置への操作を行うと、聴取位置が変化し、音の評価でバラつきが生じてしまう。
【０００９】
本発明は、上記従来の課題を解決するためになされたもので、オーディオデータへのパラメータの設定を容易に行なうことができるオーディオ装置を提供することを目的とする。
【課題を解決するための手段】
【００１０】
本発明に係るオーディオ装置は、入力されたパラメータに基づきオーディオデータを加工し、加工したオーディオデータの再生を行なう機能を備えた再生手段と、再生手段によって加工されたオーディオデータを複数パターン記憶する記憶手段と、記憶手段に記憶された複数パターンの中から所定のオーディオデータを読み出し、読み出されたオーディオデータを音声出力させる制御手段とを有する。パラメータは、例えば、スピーカの周波数特性に応じてオーディオデータを分割するネットワークディバイダ（ＤＩＶ）、スピーカの配置によってオーディオデータの再生に時間的な遅延等を与えるタイムコレクション（ＴＣＲ）およびオーディオデータの周波数特性を調整するイコライザ（ＥＱ）である。
【００１１】
また本発明に係る記憶媒体は、オーディオ装置に接続可能であり、かつオーディオデータを記憶可能であり、パラメータに基づき加工されたオーディオデータを複数パターン記憶するものである。記憶媒体は、例えば、半導体メモリやＤＶＤ−Ｒ等の読み書き可能な記憶媒体を用いることでき、一方のオーディオ装置において入力または設定されたオーディオデータを、他方のオーディオ装置において再生または出力させることを可能にする。
【００１２】
さらに本発明に係るオーディオ装置におけるオーディオデータを加工するためのパラメータの設定方法は、入力されたパラメータに基づきオーディオデータを加工するステップと、加工されたオーディオデータを複数パターン記憶するステップと、記憶された複数パターンのオーディオデータを音声出力させるステップと、音声出力されたオーディオデータの中から選択されたオーディオデータに対応するパラメータを設定するステップとを有するものである。
【発明の効果】
【００１３】
本発明に係るオーディオ装置によれば、パラメータに基づき加工されたオーディオデータを複数パターン記憶し、記憶されたオーディオデータを音声出力できるようにしたので、パラメータの異なる効果音を連続的に比較試聴することが可能となり、音の評価を集中して行なうことができる。これにより、オーディオ装置に最適なチューニングを効率よく簡単に行なうことができる。さらに好ましくは、オーディオ装置のチューニングを、再生される曲毎あるいはジャンル毎に行うことも可能である。
【発明を実施するための最良の形態】
【００１４】
以下、本発明に係るオーディオ装置の最良の実施の形態について図面を参照して詳細に説明する。
【実施例】
【００１５】
図１は、本実施例に係るオーディオ装置の構成を示すブロック図である。オーディオ装置１０は、ＣＤ、ＤＶＤ、ハードディスク、半導体メモリ等のオーディオデータを記憶する音源１２と、音源から読み出されたオーディオデータの再生、加工ならびにパラメータの設定等の動作を制御するオーディオプロセッサ１４と、ユーザからパラメータやその他の指示等を受け取る入力部１６と、パラメータおよびパラメータに基づくオーディオ効果が付加されたオーディオデータを記憶する再生音・設定記憶部１８と、オーディオプロセッサ１４から出力されたディジタルオーディオデータをアナログデータに変換し、これを増幅するアンプ２０と、増幅されたオーディオ信号を出力するスピーカ２２とを含んで構成される。
【００１６】
オーディオプロセッサ１４は、音源１２の記憶媒体に応じたオーディオデータの読み取りを行う。音源１２がＣＤやＤＶＤであれば、光学ピックアップの駆動を制御してオーディオデータを読み取り、ハードディスクであれば磁気ヘッドの動作を制御してオーディオデータを読み取り、半導体メモリであれば読出し回路を制御して電気的にオーディオデータを読み取る。オーディオプロセッサ１４は、例えば、マイクロコンピュータを用いることができ、その動作を制御するプログラムをＲＡＭやＲＯＭに格納する。また、音源１２に記憶されるディジタルオーディオデータは、ＭＰ３等のフォーマットにより圧縮されたものであってもよく、圧縮されたディジタルオーディオデータは、オーディオプロセッサ１４において伸長される。
【００１７】
入力部１６は、複数の操作キーを含み、好ましくはメニュー画面を表示可能なディスプレイを有する。ディスプレイは、他の電子機器、たとえば、ナビゲーション装置やビデオ機器としての表示を兼用するものであってもよい。入力方法は、操作キーに限らず、リモコン、音声入力、あるいはディスプレイのタッチパネルを利用しても良い。
【００１８】
本実施例のオーディオ装置におけるパラメータの設定は、以下の３つの動作シーケンスからなる。
１）パラメータの入力、オーディオ効果が付加された再生音の試聴、およびオーディオ効果が付加された再生音を記憶するシーケンス
２）オーディオ効果が付加された再生音の自動演奏および比較試聴するシーケンス
３）パラメータを決定するシーケンス
【００１９】
上記動作シーケンスを図２のフローチャートを参照して説明する。オーディオ装置のチューニングを行う場合、ユーザは、オーディオデータにオーディオ効果を与えるためのパラメータ（ＤＩＶ、ＴＣＲ、ＥＱ等）を入力する（ステップＳ２０１）。もし必要であれば、ディスプレイのメニュー画面などから、チューニングを開始する旨の指示を与えるようにしてもよい。
【００２０】
入力されたパラメータは、オーディオプロセッサ１４により効果音・設定記憶部１８に一時格納される（ステップＳ２０２）。また、オーディオプロセッサ１４は、入力されたパラメータに基づき音源１２から読み出されたオーディオデータにオーディオ効果を施す加工をし（ステップＳ２０３）、さらに加工したオーディオデータを再生音・設定記憶部１８に記憶させる（ステップＳ２０４）。好ましくは再生音・設定記憶部１８は、パラメータと加工されたオーディオデータとの関係を示すテーブルを作成し、このテーブルによりデータを管理する。例えば、図３のテーブルに示すように、最初にパラメータ＃１が入力されると、そのパラメータ＃１と、パラメータ＃１に基づき加工されたオーディオデータの格納先を示すアドレスａｄｄ＃１とを対応させて記憶する。
【００２１】
なお、チューニングに際して、音源１２から最初に読み出されるオーディオデータは、予め決められたオーディオデータであっても良いし、ユーザが選択したオーディオデータであってもよい。例えば、音源がＣＤであれば、ＣＤの先頭の曲が最初に読み出されるようにしてもよいし、ユーザが選曲したものを読み出すようにしてもよい。また、選曲された曲名などをディスプレイに表示させるようにしてもよい。
【００２２】
オーディオプロセッサ１４によって加工されたオーディオデータは、アンプ２０を介してスピーカ２２から出力され、この再生音がユーザによって試聴される（ステップＳ２０５）。
【００２３】
次に、オーディオプロセッサ１４は、パラメータの入力終了を示す指示があった場合には、この処理シーケンスを終了し、そうでない場合には、次のパラメータの入力待ちとなる。この場合には、上記したステップＳ２０１からステップＳ２０５までの処理が繰り返される（ステップＳ２０６）。複数パターンのパラメータを入力する場合、好ましくはオーディオプロセッサ１４は、音源１２から同一のオーディオデータを読み出す制御を行なう。つまり、音楽ＣＤであれば、オーディオプロセッサ１４により同一曲が繰り返し読み出される。これにより、ユーザからパラメータ＃２が入力された場合、パラメータ＃１のときと同一のオーディオデータに対してパラメータ＃２の加工が施される。そして、パラメータ＃２と、パラメータ＃２に基づくオーディオ効果が付加された再生音が記憶され、それらの関係は図３のテーブルにより管理される。以上のシーケンスにより、ユーザから入力された複数パターンのパラメータと、それに対応するオーディオ効果が付加されたオーディオデータが再生音・設定記憶部１８に順次記憶される。
【００２４】
次に、２）のオーディオ効果が付加された再生音の自動演奏、比較試聴するシーケンスについて、図４のフローチャートを参照して説明する。オーディオプロセッサ１４は、パラメータの入力の処理シーケンスが終了すると、次の処理シーケンスである再生音の自動演奏へ移行する。この移行は、自動的に行われてもよいし、ユーザからの指示に応答するものであってもよい。
【００２５】
オーディオプロセッサ１４は、再生音・設定記憶部１８に記憶されたオーディオデータを読み出す（ステップＳ３０１）。好ましくは、図３に示すテーブルを参照し、パラメータ＃１に対応するアドレスＡｄｄ＃１に格納されたオーディオデータを読出し、読み出したパラメータにはフラグを設定する。オーディオプロセッサ１４は、テーブルのアドレスを参照することで、記憶されたオーディオデータを順次、連続的に読み出すことができる。オーディオプロセッサ１４によって読み出されたオーディオデータは、アンプ２０へ出力され、スピーカ２２からパラメータ＃１に対応するオーディオ効果が付加された再生音として出力される（ステップＳ３０２）。
【００２６】
オーディオプロセッサ１４は、図３のテーブルを参照し、未設定のフラグがあるか否かをチェックし（ステップＳ３０３）、すべてのパラメータに対する効果音が出力されるようにステップＳ３０１からステップＳ３０２までの処理を繰り返す。これにより、同一のオーディオデータ（例えば、同一曲）に対し異なるパラメータが付加された効果音が連続して再生されるため、ユーザは、それらの効果音を比較試聴し、音の評価に集中することができる。
【００２７】
オーディオプロセッサは、上記２）の処理シーケンスが終了すると、次に
３）のパラメータを決定するシーケンスに移行する。この移行は、自動であっても良いし、ユーザの指示に応答するものであってもよい。再生音・設定記憶部１８に記憶されたオーディオデータの再生音の比較試聴を経て、ユーザは、所望のパラメータを選択する。選択は、例えば入力部１６の決定キーなどを操作することによって行われる。この決定に応答して、オーディオプロセッサ１４は、ユーザが選択したパラメータを最終的なパラメータと決定し、再生部・設定記憶部１８に設定・保存させる。
【００２８】
本実施例のオーディオ装置により次のような効果を得ることができる。
１）複数のパラメータの設定パターンを付加した同一音源について、自動演奏によって順次その効果を確認できるため、音の効果の比較に非常に集中し易くなる。
２）パラメータを入力するに際し、同一音源の読出し等の切替操作等が不要となるため、聴取位置が変化せず、定位置で音を評価することができる。これにより、的確な音の評価を行なうことができる。
３）複数のパラメータの設定パターンを順次自動再生もしくは自動演奏させるため、パラメータの設定内容の先入観無しに音を評価することができる。
４）オーディオ装置で記憶するのはパラメータの設定ではなく、パラメータを付加した音を記憶し、かつ再生可能とすることで、従来の場合と比較して、ユーザの煩雑な操作を低減させることができる。
【００２９】
なお、上記実施例では、音源１２から読み出された所定のオーディオデータを用いてオーディオ機器のチューニングを最適化する例を説明した。つまり、オーディオ装置に対し最適な１つのパラメータを決定したが、この最適化は、音源１２に含まれる曲毎、ジャンル毎（例えば、クラシックやロックなど）に行うようにしてもよい。その場合には、音源１２から曲毎、ジャンル毎にオーディオデータを読出し、これらについてそれぞれの複数のパラメータを入力し、再生音・設定記憶部１８にオーディオ効果が付加されたオーディオデータを記憶させ、それらの再生音の比較試聴を曲毎、ジャンル毎に行うようにする。最終的に決定されたパラメータは、曲毎、ジャンル毎に対応されて再生音・設定記憶部１８に記憶される。これにより、ユーザの嗜好に応じた詳細なチューニングを行うことが可能となる。
【００３０】
次に、本発明の第２の実施例について説明する。第２の実施例に係るオーディオ装置は、図５(ａ)に示すように、再生音・設定記憶部１８に着脱可能な記憶媒体３０を取り付ける。記憶媒体３０は、例えば、書き込み可能な半導体メモリ、ＣＤ−ＲＷ、ＤＶＤ−ＲＷ等を用いることができ、好ましくは、再生音・設定記憶部１８に記憶された複数パターンのパラメータと、それに基づく効果音が付与されたオーディオデータを記憶する。記憶媒体３０は、再生音・設定記憶部１８に記憶されたオーディオデータをコピーするものであっても良いし、オーディオ装置の拡張用外部記憶装置としてそのようなオーディオデータを記憶するものであってもよい。
【００３１】
記憶媒体３０は、図５（ｂ）に示すように、オーディオ装置１０と互換性のある他のオーディオ装置４０に接続することができる。記憶媒体３０に記憶されたオーディオデータは、オーディオ装置４０のオーディオプロセッサにより読み出され、読み出されたオーディオデータが音声出力される。これにより、オーディオ装置１０に対して入力もしくは設定されたパラメータに基づくオーディオデータを、オーディオ装置４０において利用することが可能となる。例えば、オーディオ装置１０およびオーディオ装置４０が、同一の車両の同一のオーディオ空間内に取付けられたものであれば、その利用の実効性はより高まる。
【００３２】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００３３】
本発明に係るオーディオ装置は、車載用オーディオ装置や家庭用オーディオ装置において利用することができる。さらに、本発明に係るオーディオ装置は、他の電子機器と複合的に使用されるオーディオシステム、オーディオやビデオを複合したＡＶ機器、さらにはナビゲーション機能を複合した電子機器において広く利用することができる。
【図面の簡単な説明】
【００３４】
【図１】本発明の実施例に係るオーディオ装置の構成を示すブロック図である。
【図２】オーディオ装置におけるパラメータおよび効果音の記憶の動作フローを示す図である。
【図３】再生音・設定記憶部に含まれるテーブルを説明する図である。
【図４】オーディオ装置における比較試聴の動作フローを示す図である。
【図５】本発明の第２の実施例を説明する図である。
【図６】従来のオーディオ装置の構成を示すブロック図である。
【図７】従来のオーディオ装置の動作を示すフローチャートである。
【符号の説明】
【００３５】
１０：オーディオ装置                  １２：音源
１４：オーディオプロセッサ            １６：入力部
１８：再生音・設定記憶部              ２０：アンプ
２２：スピーカ                        ３０：記憶媒体
【図１】
2006173765.tif 000003
【図２】
2006173765.tif 000004
【図３】
2006173765.tif 000005
【図４】
2006173765.tif 000006
【図５】
2006173765.tif 000007
【図６】
2006173765.tif 000008
【図７】
2006173765.tif 000009